(57)【特許請求の範囲】
【請求項１】
ボタン電話装置の主装置又は構内交換機とパーソナルコンピュータとをインターフェースであるパーソナルコンピュータ制御端末を介して接続し、前記主装置又は構内交換機とパーソナルコンピュータ制御端末間の信号をパケット伝送するパケット伝送システムにおいて、前記パケット伝送される信号の同期バイトとして、信号の宛先別に少なくとも２種類の同期バイトを用意し、受信されたパケット伝送信号の同期バイトの種類によりその宛先を判別する判別手段と、この判別手段による宛先判別結果によって、受信されたパケット信号を自端末用として取り込む信号取得手段と、前記判別手段による宛先判別結果によって受信されたパケット信号を前記パーソナルコンピュータに送信する送信手段とを前記パーソナルコンピュータ制御端末に具備することを特徴とするパケット伝送システム。
【請求項２】
ボタン電話装置の主装置又は構内交換機とパーソナルコンピュータとをインターフェースであるパーソナルコンピュータ制御端末を介して接続し、前記パーソナルコンピュータとパーソナルコンピュータ制御端末間の信号をパケット伝送するパケット伝送システムにおいて、前記パケット伝送される信号の同期バイトとして、信号の宛先別に少なくとも２種類の同期バイトを用意し、受信されたパケット伝送信号の同期バイトの種類によりその宛先を判別する判別手段と、この判別手段による宛先判別結果によって、受信されたパケット信号を自端末用として取り込む信号取得手段と、前記判別手段による宛先判別結果によって受信されたパケット信号を前記ボタン電話装置の主装置又は構内交換機に送信する送信手段とを前記パーソナルコンピュータ制御端末に具備することを特徴とするパケット伝送システム。
【請求項３】
ボタン電話装置の主装置又は構内交換機とパーソナルコンピュータとをインターフェースであるパーソナルコンピュータ制御端末を介して接続し、前記主装置又は構内交換機とパーソナルコンピュータ制御端末間の信号及びパーソナルコンピュータとパーソナルコンピュータ制御端末間の信号をパケット伝送するパケット伝送システムにおいて、前記パケット伝送される信号の同期バイトとして、信号の宛先別に少なくとも２種類の同期バイトを用意し、受信されたパケット伝送信号の同期バイトの種類によりその宛先を判別する判別手段と、この判別手段による宛先判別結果によって受信されたパケット信号を自端末用として取り込む信号取得手段と、前記判別手段による宛先判別結果によって、前記主装置又は構内交換機から受信されたパケット信号を前記パーソナルコンピュータに送信し、又は前記パーソナルコンピュータから受信されたパケット信号を前記主装置又は構内交換機に送信する送信手段とを前記パーソナルコンピュータ制御端末に具備することを特徴とするパケット伝送システム。
【請求項４】
前記パケット信号の同期バイトは１種類とし、別途、このパケット信号の宛先を示すバイトを設け、前記判別手段はこのバイトにより前記信号の宛先を判別することを特徴とする請求項１乃至３いずれか１記載のパケット伝送システム。
【請求項５】
同期バイトとして、ＦＦＨ，ＦＥＨ，ＦＤＨのいずれか１個又２個或いは全部を用いることを特徴とする請求項１乃至４いずれか１記載のパケット伝送システム。
【請求項６】
前記パーソナルコンピュータ制御端末は電話機を接続し、この電話機を用いた通話処理を行うことを特徴とする請求項１乃至５いずれか１記載のパケット伝送システム。
【発明の詳細な説明】
【０００１】
【発明の属する技術分野】
本発明はボタン電話装置（ＫＴＳ）の主装置又は構内交換機（ＰＢＸ）と電話端末間のデータをパケットデータ伝送するパケット伝送システムに関する。
【０００２】
【従来の技術】
従来この種のパケット伝送システムは図１０のような構成を有している。ＫＴＳの主装置（又はＰＢＸ）１のインターフェースカード１１に信号線２を介してシステム専用の電話端末３が接続されている。ＫＴＳの主装置（又はＰＢＸ）１から例えば着信等のコマンドがシステム専用の電話端末３に信号線２を介してパケット伝送される。又、システム専用の電話端末３は上記コマンドを受けて呼び出し音を発生し、オフフックされると、オフフック状態を示すデータを信号線２を介してＫＴＳの主装置（又はＰＢＸ）１にパケット伝送する。
【０００３】
ところで、近年パーソナルコンピュータの高機能化と低価格化が進むに連れ、パーソナルコンピュータのディスプレイ機能及びオプション機能を利用できる図１１のようなパーソナルコンピュータ仕様のパケット伝送システムが現れるようになってきた。図１１では、ＫＴＳの主装置（又はＰＢＸ）１のインターフェースカード１１に信号線２を介してパーソナルコンピュータ制御端末（以降ＰＣ制御端末と称する）４が接続され、更にこのＰＣ制御端末４にケーブル５を介してパーソナルコンピュータ６が接続されている。
【０００４】
この例では、システム専用の電話端末３の制御部をパーソナルコンピュータ６側へ移動することにより、パーソナルコンピュータ６でのディスプレイ利用及び端末制御と、ＰＣ制御端末４での通話機能制御という２種類の処理が生じ、それぞれの処理に応じて、ＰＣ制御端末４とパーソナルコンピュータ６とで分担することになる。このため、ＫＴＳの主装置（又はＰＢＸ）１からＰＣ制御端末４へパケット伝送された信号は、このＰＣ制御端末４で、一度、全コマンドを解析し、自端末で処理するコマンドとパーソナルコンピュータ６で処理するコマンドを区分けしなければならなかった。
【０００５】
図１２は従来のパケット伝送システムで伝送される従来の信号のフォーマット例である。１１１は同期バイト（ＳＹＮＣ）、１１２はパケット長（ＰＫＴＬＮ）、１１３はコマンド、１１４はパラメータ、１１５はコマンド、１１６はパラメータ及び１１７はＥＣＣ（エラーコレクション）である。ＥＣＣ１１７は必要に応じて付けられる。
【０００６】
図１３は上記したＰＣ制御端末４の詳細構成例で、パケットデータ解析処理を説明するためのブロック図である。ＫＴＳの主装置（又はＰＢＸ）１からパケット伝送された信号は、ＰＣ制御端末４の非同期受信部１００で非同期受信され、更に同期検出部１０１にて、パケットの先頭を検出する同期検出が行われた後、全コマンド解析部１０２に入力される。全コマンド解析部１０２は入力された全てのコマンドを解析し、自端末で処理するコマンドとパーソナルコンピュータ６で処理するコマンドを区別して選別し、自端末で処理するコマンドをコマンド詳細分析部１０３に送って、ここで詳細解析し、その結果に基づいて、端末動作処理部１０４が通話機能制御などの各種制御動作を行う。一方、全コマンド解析部１０２にて、パーソナルコンピュータ６で処理するコマンドに選別されたコマンドは、送信部１０５からケーブル５を通してパーソナルコンピュータ６に送出される。
【０００７】
このため、上記したＰＣ制御端末４はＫＴＳの主装置（又はＰＢＸ）１から受信した全てのコマンドの解析を行う必要があり、この解析プログラムを作るのが大変で、ＰＣ制御端末４の開発において著しい負担となっていた。
【０００８】
又、パーソナルコンピュータ６からケーブル５を通してＰＣ制御端末４に上るパケット信号においても、そのコマンドがＰＣ制御端末４で処理されるものと、ＫＴＳの主装置（又はＰＢＸ）１で処理されるものがあり、上記と同様にＰＣ制御端末４はパーソナルコンピュータ６から受信した全コマンドの解析を行う必要があり、この解析プログラムを作るのが大変で、ＰＣ制御端末４の開発において著しい負担となっていた。
【０００９】
【発明が解決しようとする課題】
上記の如く、従来のパケット伝送システムでは、ＰＣ制御端末が受信した全コマンドを解析しなければならず、この解析プログラムの作成が大変で、端末開発上大きな負担を強いるという課題があった。
【００１０】
そこで本発明は上記課題を解決するためになされたもので、パーソナルコンピュータ制御端末での信号解析処理を著しく容易にして、前記信号解析プログラムを簡単化して、その作成を容易にすることにより、ＰＣ制御端末の開発を容易に行うことができるパケット伝送システムを提供することを目的としている。
【００１１】
【課題を解決するための手段】
請求項１の発明は、ボタン電話装置の主装置又は構内交換機とパーソナルコンピュータとをインターフェースであるパーソナルコンピュータ制御端末を介して接続し、前記主装置又は構内交換機とパーソナルコンピュータ制御端末間の信号をパケット伝送するパケット伝送システムにおいて、前記パケット伝送される信号の同期バイトとして、信号の宛先別に少なくとも２種類の同期バイトを用意し、受信されたパケット伝送信号の同期バイトの種類によりその宛先を判別する判別手段と、この判別手段による宛先判別結果によって、受信されたパケット信号を自端末用として取り込む信号取得手段と、前記判別手段による宛先判別結果によって受信されたパケット信号を前記パーソナルコンピュータに送信する送信手段とを前記パーソナルコンピュータ制御端末に具備する構成を備えている。
【００１２】
このような構成により、前記パーソナルコンピュータ制御端末の判別手段は、前記主装置又は構内交換機からパケット伝送された信号の同期バイトの種類により、その宛先を判別する。その結果、宛先が自端末であれば、前記信号取得手段により、受信されたパケット信号を自端末用として取り込む。又、宛先がパーソナルコンピュータであれば、前記送信手段によりパケット信号を前記パーソナルコンピュータに送信する。
【００１３】
請求項２の発明は、ボタン電話装置の主装置又は構内交換機とパーソナルコンピュータとをインターフェースであるパーソナルコンピュータ制御端末を介して接続し、前記パーソナルコンピュータとパーソナルコンピュータ制御端末間の信号をパケット伝送するパケット伝送システムにおいて、前記パケット伝送される信号の同期バイトとして、信号の宛先別に少なくとも２種類の同期バイトを用意し、受信されたパケット伝送信号の同期バイトの種類によりその宛先を判別する判別手段と、この判別手段による宛先判別結果によって受信されたパケット信号を自端末用として取り込む信号取得手段と、前記判別手段による宛先判別結果によって、受信されたパケット信号を前記ボタン電話装置の主装置又は構内交換機に送信する送信手段とを前記パーソナルコンピュータ制御端末に具備する構成を備えている。
【００１４】
このような構成により、前記パーソナルコンピュータ制御端末の判別手段は、前記パーソナルコンピュータからパケット伝送された信号の同期バイトの種類により、その宛先を判別する。その結果、宛先が自端末であれば、前記信号取得手段により、受信されたパケット信号を自端末用として取り込む。又、宛先が前記ボタン電話装置の主装置又は構内交換機であれば、前記送信手段によりパケット信号を前記ボタン電話装置の主装置又は構内交換機に送信する。
【００１５】
請求項３の発明は、ボタン電話装置の主装置又は構内交換機とパーソナルコンピュータとをインターフェースであるパーソナルコンピュータ制御端末を介して接続し、前記主装置又は構内交換機とパーソナルコンピュータ制御端末間の信号及びパーソナルコンピュータとパーソナルコンピュータ制御端末間の信号をパケット伝送するパケット伝送システムにおいて、前記パケット伝送される信号の同期バイトとして、信号の宛先別に少なくとも２種類の同期バイトを用意し、受信されたパケット伝送信号の同期バイトの種類によりその宛先を判別する判別手段と、この判別手段による宛先判別結果によって受信されたパケット信号を自端末用として取り込む信号取得手段と、前記判別手段による宛先判別結果によって、前記主装置又は構内交換機から受信されたパケット信号を前記パーソナルコンピュータに送信し、又は前記パーソナルコンピュータから受信されたパケット信号を前記主装置又は構内交換機に送信する送信手段とを前記パーソナルコンピュータ制御端末に具備する構成を備えている。
【００１６】
このような構成により、前記パーソナルコンピュータ制御端末の判別手段は、前記主装置又は構内交換機からパケット伝送された信号、又は前記パーソナルコンピュータからパケット伝送された信号の同期バイトの種類により、その宛先を判別する。その結果、宛先が自端末であれば、前記信号取得手段により、受信されたパケット信号を自端末用として取り込む。又、宛先が前記ボタン電話装置の主装置又は構内交換機であれば、前記パーソナルコンピュータから伝送されたパケット信号を前記送信手段により前記ボタン電話装置の主装置又は構内交換機に送信し、前記宛先が前記パーソナルコンピュータであれば、前記主装置又は構内交換機から伝送されたパケット信号を前記送信手段により前記パーソナルコンピュータに送信する。
【００１７】
請求項４の発明は、前記パケット信号の同期バイトは１種類とし、別途、このパケット信号の宛先を示すバイトを設け、前記判別手段はこのバイトにより前記信号の宛先を判別する構成を備えている。
【００１８】
請求項５の発明は、同期バイトとして、ＦＦＨ，ＦＥＨ，ＦＤＨのいずれか１個又２個或いは全部を用いる構成を備えている。
【００１９】
請求項６の発明の前記パーソナルコンピュータ制御端末は電話機を接続し、この電話機を用いた通話処理を行う構成を備えている。
【００２０】
【発明の実施の形態】
以下、本発明の実施の形態を図面を参照して説明する。図１は本発明の第１の実施の形態を示したブロック図である。１はボタン電話装置の主装置（又は交換機）、２は主装置１のインターフェースカード１１とＰＣ制御端末４とを接続して、パケットデータを伝送する信号線、制御端末４はパーソナルコンピュータ６と主装置１のインターフェースで、リンガーを出力するスピーカ４１とリンガー源（図示しない）を有し、更に電話機４２を接続し、パーソナルコンピュータ６側のボリュームキー（図示せず）でスピーカ４１からのリンガー鳴動音の音量を調節することができる。５はＰＣ制御端末４とパーソナルコンピュータ６を接続するケーブル、６は主装置１の端末となるパーソナルコンピュータである。
【００２１】
図２はパーソナルコンピュータ６の詳細構成例を示したブロック図である。６１はＲＯＭ６３に格納されているプログラムに従って装置全体を制御すると共に、各種処理を行うＣＰＵ、６２はＣＰＵ６１のワークメモリであるＲＡＭ、６３はＣＰＵ６１を制御する各種プログラムを格納しているＲＯＭ、６４は各種画像やデータを表示するディスプレイ、６５は各種データを格納する磁気ディスク記憶装置（ＨＤＤ），６６はコマンドやデータなどをキー入力するキーボード、６７はＰＣ制御端末４からのケーブル５を接続するインターフェースである。
【００２２】
図３は上記したＰＣ制御端末４の詳細構成例を示したブロック図である。１００は主装置１からパケット伝送されてきた信号を非同期で受信する非同期受信部、１０１は非同期受信部１００で受信された信号の同期を検出する同期検出部で、非同期受信部１００から入力されるコマンドが自端末用か、又はパーソナルコンピュータ６用かを区別する。１０３は同期検出部１０１より渡されたコマンドの詳細分析を行うコマンド詳細分析部、１０４はコマンド詳細分析部１０３の分析結果に基づいて端末を動作させる処理を行う端末動作処理部、１０５は同期検出部１０１により渡されたコマンドをパーソナルコンピュータ６に送信する送信部である。
【００２３】
図４は上記した主装置１からＰＣ制御端末４へパケット伝送される信号のフォーマット例である。１１１は同期バイトで、ＳＹＮＣ１，ＳＹＮＣ２、ＳＹＮＣ３の３種類がある。１１２はパケット長（ＰＫＴＬＮ），１１３はコマンド、１１４はパラメータ、１１５はコマンド、１１６はパラメータ及び１１７はＥＣＣである。このＥＣＣ１１７は必要に応じて付けられる。ここで、ＳＹＮＣ１はＦＦＨで、ＰＣ制御用端末用パケットを示す。ＳＹＮＣ２はＦＥＨで、ＰＣ制御用パケットを示す。ＳＹＮＣ３はＦＤＨで、スペアを示す。
【００２４】
非同期信号におけるパケット伝送方式として図４に示すようなフォーマットを採れば、先頭に同期バイトとしてＦＦＨ〜ＦＤＨの中の任意の１バイト。次に以下に続くデータ例のバイト長を示すパケット長バイト（ＰＫＴＬＮ）。以降にパケット長バイトで示されるバイト数のデータ例が続いている。データ例の最後の後には、最終バイトとしてエラーコレクション（ＥＣＣ）バイトを設けることもできる。データ例はコマンドによりその構成バイト数がわかるコマンド＋パラメータ形式の複数のコマンド列から成っており、その先頭は必ずコマンドとなる。従って同期バイトに「ＦＦＨならばパーソナルコンピュータ制御端末用のパケット」「ＦＥＨならばパーソナルコンピュータへの状態通知」という具合に宛先情報が割り当てられる。又、同期バイトとして使われるＦＦＨ〜ＦＤＨはパケット中では使用できないが、キーボード情報、アスキーコード、漢字用シフトＪＩＳ共にＦＦＨ〜ＦＤＨを使用していない為、情報の伝達機能には何等不都合を与えない。
【００２５】
次に本実施の形態の動作について図５に示したフローチャートに従って説明する。ＫＴＳの主装置（又はＰＢＸ）１からパケット伝送された信号は、ＰＣ制御端末４の非同期受信部１００で非同期受信され、更に同期検出部１０１にて、パケットの先頭を検出する同期検出がステップ５０１にて行われた後、ステップ５０２にて、この信号の同期バイト１１１を解析する。その結果、同期バイト１１１がＳＹＮＣ１であった場合、入力された信号のコマンドは自端末で処理するコマンドであると判定して、ステップ５０３に進んで、入力コマンドをコマンド詳細分析部１０３に渡すことにより、自端末に取り込む。一方、ステップ５０２にて、同期バイト１１１がＳＹＮＣ２であった場合、入力された信号のコマンドはパーソナルコンピュータ６で処理するコマンドである判定して、ステップ５０４に進んで、入力コマンドを送信部１０５に送って、パーソナルコンピュータ６に伝送する。
【００２６】
コマンド詳細分析部１０３は同期検出部１０１から渡された自端末で処理するコマンドを詳細解析する。端末動作処理部１０４はこの解析結果に基づいて通話機能制御などの各種制御動作を行う。一方、パーソナルコンピュータ６は送信部１０５から送信されてきたコマンドを図２の入出力インターフェース６７から入力する。ＣＰＵ６１は入力されたコマンドに基づいた処理を行い、例えばディスプレイ６４にデータなどを表示する。
【００２７】
本実施の形態によれば、主装置１からＰＣ制御端末４への下りのパケット伝送信号の同期バイトとして、２種類用意し、そのひとつはＰＣ制御端末４向けの信号で、他のひとつはパーソナルコンピュータ６向けの信号であるため、ＰＣ制御端末４の同期検出部１０１は入力されたコマンドの同期バイトを識別するだけで、直ちに自端末向けの信号であるか、パーソナルコンピュータ６向けの信号であるかを判定できる。このように、本同期バイトＦＦＨとＦＥＨの２種類を使用することにより、数種類のＰＣ制御端末４用のコマンドを識別するためにダイヤル信号を含め数十種類もあるシステムへの状態通知コマンドの解析処理を行うという負担を省略することができ，ＰＣ制御端末４用のプログラムの作成を極めて簡単化することができ、ＰＣ制御端末４の開発を容易に行うことができる。又、ＦＦＨ〜ＦＤＨの複数の同期バイトを使用することで情報の伝達機能に不都合を与えることなく、信号の宛先情報を同期バイトに盛り込むことができ、端末の信号解析処理を著しく容易にすることができる。更に、ハード面でも信号分配処理が著しく簡単になる為、受信バッファが少ない容量でも十分処理できるという利点がある。
【００２８】
なお、上記実施の形態の同期検出部１０１で受信信号を送信部１０５とコマンド詳細分析部１０３に振り分ける際に、振り分ける信号の受信信号の全部でもよいし、必要な部分でもよく、同様の効果を得ることができる。
【００２９】
図６は本発明のパケット伝送システムの第２の実施の形態を示したブロック図である。本例はパーソナルコンピュータ６からのパケット伝送信号をＰＣ制御端末４により自端末のコマンドか、或いは主装置（構内交換機）１のコマンドかを区別する構成を有している。他の構成は図３に示した第１の実施の形態と同様である。又、パケット伝送される信号は図４に示した第１の実施の形態と同様で、ＳＹＮＣ１，ＳＹＮＣ２、ＳＹＮＣ３の３種類があり、ＳＹＮＣ１はＦＦＨで、ＰＣ制御端末４用を示す。ＳＹＮＣ２はＦＥＨで、主装置１用パケットを示す。ＳＹＮＣ３はＦＤＨで、スペアを示すものとする。
【００３０】
次に本実施の形態の動作について図７のフローチャートに従って説明する。パーソナルコンピュータ６から送られたコマンドは、ＰＣ制御端末４の非同期受信部１００で非同期受信され、更に、ステップ７０１にて同期検出部１０１により、パケットの先頭を検出する同期検出が行われた後、ステップ７０２にてこのコマンドの同期バイト１１１を解析する。その結果、同期バイト１１１がＳＹＮＣ１であった場合、ステップ７０３にて入力されたコマンドは自端末で処理するコマンドであると判定して、入力コマンドをコマンド詳細分析部１０３に渡すことにより、自端末に取り込む。一方、同期バイト１１１がＳＹＮＣ２であった場合、入力されたコマンドは主装置１で処理するコマンドであると判定し、ステップ７０４にて入力信号を送信部１０５に送って、主装置１にパケット伝送する。
【００３１】
図８は上記したパーソナルコンピュータ６からの上り信号のシンボルとコードの関係を示した表図である。ＰＣＶＯＬＩＤはボリュームコントロールのコマンドを示し、そのコードは４ＡＨである。Ｐ１はボリューム調整のパラメータでそのコードは００Ｈである。Ｐ２はボリューム調整の第２パラメータでそのコードが００Ｈならばボリュームｕｐ、０１Ｈならばボリュームｄｏｗｎである。図９は上記したコマンドの一例であり、同期バイトＤＣＭＤはＦＦＨ、パラメータ長ＤＰＬＥＮＦは３Ｈなどのコードが並んで、コマンドを形成している。
【００３２】
ここで、パーソナルコンピュータ６によるＰＣ制御端末４に接続されている電話機４２のボリュームキー制御について説明する。ボリュームキーはパーソナルコンピュータ６側で持っている。キー入力のチャタリング処理等はパーソナルコンピュータ６側で行い、キー押下時にＰＣ制御端末４側にキー押下信号を上げるものとする。キー単独押下は、即時、キー連続押下時は、０．５秒毎にＰＣ制御端末４側へキー押下信号を上げることとし、単独押下、連続押下共に信号間の最低間隔は０．５秒とする。ボリューム押下信号として下記信号を定義する。本信号は必ず、１パケット扱いとし、パーソナルコンピュータ６からの上り信号のＰ１にコマンドコードが来るものとする。
【００３３】
ＰＣ制御端末４側はアイドル状態で上記コマンドを受信した場合、新規ボリュームに設定した後、７５０ｍｓの間、リンガー音（連続）を鳴動する。７５０ｍｓ以内に次のボリューム調整指示コマンドを受信した場合、ＰＣ制御端末４は即時にボリュームを変更し、その時点を起点として７５０ｍｓの間リンガー音（連続）を鳴動する。パーソナルコンピュータ６側はアイドル時のボリュームキー押下によるリンガーボリューム設定を行わせる場合、５００ｍｓ毎に連続してボリューム調整指示コマンドを送出する必要がある。
【００３４】
即ち、ＰＣ制御端末４側では、ボリューム調整指示のコマンドを判別し、Ｐ１となる次の１バイトは００Ｈで固定、Ｐ２で００ならばリンガーボリュームのアップ機能と認識し、ボリュームを４ｄＢアップし、０．７５秒間そのレベルでリンガーを鳴動させる。もしＰ２が０１ならばリンガーボリュームのダウン機能と認識し、ボリュームを４ｄＢダウンし、そのレベルで０．７５秒間リンガーを鳴動させる。これによりパーソナルコンピュータ６のボリュームアップキー押下中は本信号がパーソナルコンピュータ６より継続して送信され、ユーザはＰＣ制御端末４で鳴動するリンガー音の変化を聞くことにより、容易にリンガーボリュームの調整を行うことができる。
【００３５】
本実施の形態によれば、パーソナルコンピュータ６からの上り信号のパケット伝送信号の同期バイトとして、２種類用意し、そのひとつはＰＣ制御端末４向けの信号で、他のひとつは主装置１向けの信号であるため、ＰＣ制御端末４の同期検出部１０１は入力されたコマンドの同期バイトを識別するだけで、直ちに自端末向けの信号であるか、主装置１向けの信号であるかを判定でき、上述した第１の実施の形態と同様にＰＣ制御端末４の開発を容易に行うことができる。
【００３６】
なお、図１に示した第１の実施の形態の構成と、図６に示した第２の実施の形態をひとつのパケット伝送システムで実現する構成とすれば、更に、ＰＣ制御端末４のコマンドの宛先を区別するプログラムを極めて簡単化することができ、このプログラムの作成を容易にして、ＰＣ制御端末４の開発を更に容易に行うことができる。
【００３７】
【発明の効果】
以上記述した如く請求項１、２、３、４、６の発明によれば、パケット伝送信号の同期バイトに宛先情報を盛り込み、この宛先情報により受信したパケット信号の宛先を判別して振り分けるため、ＰＣ制御端末の動作プログラムを開発して、その作成を容易にすることができ、ＰＣ制御端末の開発を容易に行うことができる。
【００３８】
請求項５の発明によれば、ＦＦＨ〜ＦＤＨの複数の同期バイトを使用することで情報の伝達機能に不都合を与えることなく、信号の宛先情報を同期バイトに盛り込み端末の信号解析処理を著しく容易にすることができる。
【図面の簡単な説明】
【図１】本発明のパケット伝送システムの第１の実施の形態を示したブロック図。
【図２】図１に示したパーソナルコンピュータの詳細構成例を示したブロック図。
【図３】図１に示したＰＣ制御端末の詳細構成例を示したブロック図。
【図４】図１に示したＰＣ制御端末に主装置１からパケット伝送されるコマンドのフォーマット例を示した図。
【図５】図３に示した同期検出部の動作を示したフローチャート。
【図６】本発明のパケット伝送システムの第２の実施の形態を示したブロック図。
【図７】図６に示した同期検出部の動作を示したフローチャート。
【図８】図６に示したパーソナルコンピュータからの上り信号のシンボルとコードの関係を示した表図。
【図９】図８の表図の内容に則したパケット信号例を示した摸式図。
【図１０】従来のパケット伝送システムの一例を示したブロック図。
【図１１】従来のパケット伝送システムの他の例を示したブロック図。
【図１２】図１２の全コマンド解析部で解析されるパケット信号の一例を示した摸式図。
【図１３】図１１に示したＰＣ制御端末の詳細構成例を示したブロック図。
【符号の説明】
１  主装置
２  信号線
４  ＰＣ制御端末
５  ケーブル
６  パーソナルコンピュータ
１００  非同期受信部
１０１  同期検出部
１０３  コマンド詳細分析部
１０４  端末動作処理部
１０５  送信部
【図１】
0003841319.tif 000002
【図２】
0003841319.tif 000003
【図３】
0003841319.tif 000004
【図４】
0003841319.tif 000005
【図５】
0003841319.tif 000006
【図６】
0003841319.tif 000007
【図７】
0003841319.tif 000008
【図８】
0003841319.tif 000009
【図９】
0003841319.tif 000010
【図１０】
0003841319.tif 000011
【図１１】
0003841319.tif 000012
【図１２】
0003841319.tif 000013
【図１３】
0003841319.tif 000014